(57)【要約】【課題】選択制御棒に基づいてＲＢＭユニットで選択されたＬＰＲＭ検出器の各々が正常であることを確認でき、試験の効率化／省力化を行うことである。【解決手段】ＲＢＭユニット１３へ制御棒選択信号を伝送するためのディジタル信号出力部８と、炉心内に配置される全ＬＰＲＭ検出器の模擬信号を重複がないよう各々ユニークなＬＰＲＭ検出器模擬信号として演算するＬＰＲＭ信号制御部１４と、ＬＰＲＭ信号制御部１４からの模擬信号をＬＰＲＭユニット１１及びＡＰＲＭユニット１２へ出力する信号発生出力部５と、各制御棒とＲＢＭユニット１３で選択されるＬＰＲＭ検出器信号及びＲＢＭ値との対応を記憶し各制御棒選択時にＲＢＭユニット１３から受信したＲＢＭ値及び選択ＬＰＲＭ値に基づいてＲＢＭユニット１３の選択動作の良否判定を行う出力信号判定部１５とを備える。【選択図】  図１
2009115540.tif 000002
【特許請求の範囲】
【請求項１】
原子炉内に配置された複数のＬＰＲＭ検出器からの検出信号を受け所定のゲインによる演算を行いディジタル値として伝送するＬＰＲＭユニットと、前記ＬＰＲＭユニットからのＬＰＲＭ検出器信号及び自らに入力されるＬＰＲＭ検出器からの検出信号に所定のゲインによる演算を行ってデータの平均値の演算を行い前記ＬＰＲＭ信号と共にＲＢＭユニットに伝送するＡＰＲＭユニットと、前記ＡＰＲＭユニットからの伝送データを受け選択制御棒に応じてその周辺に位置する最大８個のＬＰＲＭ検出器信号を選択し、その信号から局部出力平均値を演算し、所定のゲインを乗じることでＲＢＭ値を演算するＲＢＭユニットとを備えた原子炉出力領域モニタを試験するための出力領域モニタ試験装置において、前記ＲＢＭユニットへ制御棒選択信号を伝送するためのディジタル信号出力部と、炉心内に配置される全ＬＰＲＭ検出器の模擬信号を重複がないよう各々ユニークなＬＰＲＭ検出器模擬信号として演算するＬＰＲＭ信号制御部と、前記ＬＰＲＭ信号制御部からの模擬信号をＬＰＲＭユニット及びＡＰＲＭユニットへ出力する信号発生出力部と、各制御棒とＲＢＭユニットで選択されるＬＰＲＭ検出器信号及びＲＢＭ値との対応を記憶し各制御棒選択時にＲＢＭユニットから受信したＲＢＭ値及び選択ＬＰＲＭ値に基づいてＲＢＭユニットの選択動作の良否判定を行う出力信号判定部とを備えたことを特徴とする出力領域モニタ試験装置。
【請求項２】
前記ＲＢＭユニットへ制御棒選択信号を伝送するためのディジタル信号出力部に対して、炉心内の全制御棒データを順次選択するよう制御を行う制御棒選択信号制御部を設け、炉心内の全制御棒とＲＢＭユニットで選択されるＬＰＲＭ検出器信号とＲＢＭ値との対応を自動で試験することを特徴とする請求項１記載の出力領域モニタ試験装置。
【請求項３】
前記ＬＰＲＭ信号制御部は、前記ＡＰＲＭユニットから前記ＲＢＭユニットへの伝送データを模擬信号として演算し、前記ディジタル信号出力部を介して前記ＲＢＭユニットへ出力するようにしたことを特徴とする請求項１または２記載の出力領域モニタ試験装置。
【発明の詳細な説明】
【技術分野】
【０００１】
本発明は、出力領域モニタの試験を行う出力領域モニタ試験装置に関する。
【背景技術】
【０００２】
沸騰水型原子炉においては、原子炉出力を監視する目的から約２００台の局部出力領域モニタ検出器（ＬＰＲＭ（Local Power Range Monitor）検出器）が炉心内に配置され、これらのＬＰＲＭ検出器の信号を出力領域モニタに入力して原子炉出力を監視するようにしている。また、出力領域モニタは、原子炉出力が異常時には原子炉停止信号を発生する。
【０００３】
出力領域モニタはＬＰＲＭユニット、ＡＰＲＭ（Average Power Range Monitor）ユニット、ＲＢＭ（Rod Block Monitor）ユニットから構成され、ＬＰＲＭ検出器信号及び炉心流量計の検出信号の処理を行う。ＡＰＲＭユニットは平均出力モニタユニットであり、ＲＢＭ（Rod Block Monitor）ユニットは制御棒引抜阻止モニタユニットである。
【０００４】
出力領域モニタの入出力信号の点数は膨大であり、試験の効率化／省力化、試験期間短縮の目的から出力領域モニタを専用に試験するための出力領域モニタ試験装置が設置されている（例えば、特許文献１参照）。
【０００５】
図４は、従来の出力領域モニタ試験装置の構成図である。出力領域モニタ試験装置１は、プリンタ２、ホストコンピュータ３、アナログ信号入出力装置４、ディジタル信号入出力装置７から構成される。ホストコンピュータ３は予め定められたパターンのＬＰＲＭ検出器及び炉心流量信号をアナログ信号入出力装置４の信号発生出力部５を介して、出力領域モニタ１０のＬＰＲＭユニット１１及びＡＰＲＭユニット１２へ出力する。また、ホストコンピュータ３は、パターンの各入力状態においてＬＰＲＭユニット１１及びＡＰＲＭユニット１２からのアナログ出力信号をアナログ信号入出力装置４のアナログ信号入力部６を介して受信し、規格値と自動で照合を行うことで入出力直線性の確認を行う。
【０００６】
また、ホストコンピュータ３は、ディジタル信号入出力装置７のディジタル信号入力部９を介してＡＰＲＭユニット１２及びＲＢＭユニット１３のアラーム信号を受信する。これにより、各アラームの発生点の確認を行うことを可能としている。
【０００７】
さらに、ＬＰＲＭ検出器及び炉心流量信号の制御を行ったうえで、ディジタル信号入出力装置７のディジタル信号出力部８を介してＲＢＭユニット１３への制御棒選択信号を出力し、各選択制御棒での出力信号をディジタル信号入力部９を介して受信することで炉心に配置される全制御棒周辺についての確認を行う。これらの試験の測定結果は成績書の様式にてプリンタ２より出力される。
【特許文献１】特開平９−２１１１７６号公報
【発明の開示】
【発明が解決しようとする課題】
【０００８】
しかしながら、出力領域モニタの中で特にＲＢＭユニットの試験においては、原子炉の炉心内の全制御棒の選択を順次行い、各制御棒の選択時にその周辺に位置する最大８個のＬＰＲＭ検出器信号が適切に選択され、ＲＢＭユニットでの局部平均演算に用いられることを確認する必要がある。
【０００９】
従来の出力領域モニタ試験装置においては、当該の最大８個のＬＰＲＭ検出器にのみ模擬信号を与えることで適切なＬＰＲＭ検出器のグループが選択されていることを確認することは可能であったが、グループ内での８個のＬＰＲＭ検出器信号の割り付けが正常であるかの確認までは実施できなかった。また、この試験を手動で行うには多大な時間と労力が必要であった。
【００１０】
原子力発電所の長寿命化に伴い、計測監視制御システムは至近で第１回及び廃炉以前に第２回の総合更新を必要としているが、稼働率向上のため原子力発電所の定期検査は短縮化傾向にありシステム更新工期短縮が要求されている。また、その要求に応えつつ信頼性を確保するためには、より効率的な試験を可能とするシステム構築が必要であり、核計装システムの一つである出力領域モニタについてもそれは例外ではない状況である。
【００１１】
本発明の目的は、選択制御棒に基づいてＲＢＭユニットで選択されたＬＰＲＭ検出器の各々が正常であることを確認でき、試験の効率化／省力化を行うことが可能な出力領域モニタ試験装置を提供することである。
【課題を解決するための手段】
【００１２】
本発明に係わる出力領域モニタ試験装置は、原子炉内に配置された複数のＬＰＲＭ検出器からの検出信号を受け所定のゲインによる演算を行いディジタル値として伝送するＬＰＲＭユニットと、前記ＬＰＲＭユニットからのＬＰＲＭ検出器信号及び自らに入力されるＬＰＲＭ検出器からの検出信号に所定のゲインによる演算を行ってデータの平均値の演算を行い前記ＬＰＲＭ信号と共にＲＢＭユニットに伝送するＡＰＲＭユニットと、前記ＡＰＲＭユニットからの伝送データを受け選択制御棒に応じてその周辺に位置する最大８個のＬＰＲＭ検出器信号を選択し、その信号から局部出力平均値を演算し、所定のゲインを乗じることでＲＢＭ値を演算するＲＢＭユニットとを備えた原子炉出力領域モニタを試験するための出力領域モニタ試験装置において、前記ＲＢＭユニットへ制御棒選択信号を伝送するためのディジタル信号出力部と、炉心内に配置される全ＬＰＲＭ検出器の模擬信号を重複がないよう各々ユニークなＬＰＲＭ検出器模擬信号として演算するＬＰＲＭ信号制御部と、前記ＬＰＲＭ信号制御部からの模擬信号をＬＰＲＭユニット及びＡＰＲＭユニットへ出力する信号発生出力部と、各制御棒とＲＢＭユニットで選択されるＬＰＲＭ検出器信号及びＲＢＭ値との対応を記憶し各制御棒選択時にＲＢＭユニットから受信したＲＢＭ値及び選択ＬＰＲＭ値に基づいてＲＢＭユニットの選択動作の良否判定を行う出力信号判定部とを備えたことを特徴とする。
【発明の効果】
【００１３】
本発明によれば、全ＬＰＲＭの模擬入力値をそれぞれユニークな値とすることで、選択制御棒に基づいてＲＢＭで選択されたＬＰＲＭ検出器の各々が正常であることを確認でき、試験の効率化／省力化を行うことが可能となる。
【発明を実施するための最良の形態】
【００１４】
以下、本発明に係わる出力領域モニタ試験装置の実施の形態について、図面を参照して説明する。図１は本発明の第１の実施の形態に係わる出力領域モニタ試験装置の構成図である。出力領域モニタ試験装置１は、試験結果を用紙に印刷するプリンタ２、出力領域モニタ１０への出力信号の制御及び出力領域モニタ１０からの出力信号の判定を行うホストコンピュータ３、出力領域モニタ１０とアナログ信号の入出力を行うアナログ信号入出力装置４、ディジタル信号の入出力を行うディジタル信号入出力装置７から構成されている。そして、アナログ信号入出力装置４は信号発生出力部５とアナログ信号入力部６とから構成され、ディジタル信号入出力装置７はディジタル信号出力装置８とディジタル信号入力装置９とから構成され、ホストコンピュータ３はＬＰＲＭ信号制御部１４及び出力信号判定部１５を備えている。
【００１５】
このように構成された本発明の第１の実施の形態において、ホストコンピュータ３のＬＰＲＭ信号制御部１４は、炉心内に配置される約２００台のＬＰＲＭ検出器の模擬信号として各々異なる値を発生させ、アナログ信号入出力装置４の信号発生出力部５を介して、出力領域モニタ１０のＬＰＲＭユニット１１及びＡＰＲＭユニット１２へ出力する。
【００１６】
例えば、ＬＰＲＭ検出器Ａに１０．０％相当、ＬＰＲＭ検出器Ｂに１０．１％相当、ＬＰＲＭ検出器Ｃに１０．３％相当を出力する。通常の運用時はＬＰＲＭユニット１１及びＡＰＲＭユニット１２のＬＰＲＭ検出器信号処理部は、各々のＬＰＲＭ検出器の感度に合わせて独立したゲインが設定されているが、本発明の実施の形態における出力領域モニタ試験は、通常出力領域モニタの導入時のみに行われるものであり、各ゲインは共通設定されているものとして扱う。なお、特許文献１に示されるようにＬＰＲＭユニット１１及びＡＰＲＭユニット１２からゲイン設定値を読み込み、各ゲイン設定に応じてＬＰＲＭ検出器模擬信号を自動的に演算する手段を用いてよい。
【００１７】
このようにＬＰＲＭ検出器模擬信号は出力領域モニタ１０のＬＰＲＭユニット１１及びＡＰＲＭユニット１２に入力される。なお、ＬＰＲＭユニット１１及びＡＰＲＭユニット１２は全ＬＰＲＭ検出器信号を処理するために複数台設置される。
【００１８】
ＬＰＲＭユニット１１は入力されたＬＰＲＭ検出器信号に所定のゲインによる演算を行い、ディジタル値としてＡＰＲＭユニット１２へ伝送を行う。ＡＰＲＭユニット１２はＬＰＲＭユニット１１から受信したＬＰＲＭ検出器信号及び自らに入力されるＬＰＲＭ検出器信号に所定のゲインによる演算を行ってデータの平均演算を行い、その平均値とＬＰＲＭ信号をＲＢＭユニット１３へ伝送する。ＲＢＭユニット１３は複数のＡＰＲＭユニット１２からＬＰＲＭ検出器信号を受信する。
【００１９】
一方、ディジタル信号入出力手部７のディジタル信号出力部８は、ホストコンピュータ３からの制御により、ＲＢＭユニット１３へ制御棒選択信号を伝送する。ホストコンピュータ３は、ディジタル信号入出力装置７のディジタル信号出力部８を介して、引抜操作対象として選択される炉心内制御棒のアドレスデータとして制御棒選択信号をＲＢＭユニット１３へ出力する。
【００２０】
ＲＢＭユニット１３は受信した制御棒選択信号からその制御棒の周辺に配置される最大８個のＬＰＲＭ検出器信号を選択し、その各値を選択ＬＰＲＭ検出器信号としてアナログまたはディジタル信号として出力する。
【００２１】
また、ＡＰＲＭユニット１２から伝送されるＬＰＲＭの平均値と制御棒周辺のＬＰＲＭ検出器信号から演算した局部平均出力から制御棒価値を補償するようにゲイン演算を行い、局部平均出力に掛け合わせることでＲＢＭ値を演算し、選択ＬＰＲＭ検出器信号と同様にアナログ信号またはディジタル信号として出力する。
【００２２】
出力領域モニタ試験装置１はアナログ信号入出力装置４のアナログ信号入力部６またはディジタル信号入出力装置７のディジタル信号入力部９を介して選択ＬＰＲＭ検出器信号及びＲＢＭ値を受信する。受信したデータはホストコンピュータ３の出力信号判定部１５に入力される。出力信号判定部１５は、予め制御棒の座標とＲＢＭユニット１３で選択されるべきＬＰＲＭ検出器信号との対応を記憶しておき、また出力したＬＰＲＭ検出器信号からＲＢＭユニットから出力されるべきＲＢＭ値を演算することで基準値を作成する。そして、受信した出力信号と照合することでＲＢＭユニット１３の各制御棒選択時のＬＰＲＭ検出器信号の選択動作の健全性を確認する。また、入力信号及び出力信号は試験結果としてプリンタ２より所定の様式に印刷される。これにより、試験の効率化／省力化を図ることができる。
【００２３】
図２は本発明の第２の実施の形態に係わる出力領域モニタ試験装置の構成図である。この第２の実施の形態は、図１に示した第１の実施の形態に対し、ホストコンピュータ３に制御棒選択信号制御部１６を追加して設けたものである。図１と同一要素には、同一符号を付し重複する説明は省略する。
【００２４】
図２に示すように、ホストコンピュータ３に制御棒選択信号制御部１６が追加して設けられている。制御棒選択信号制御部１６は、ＲＢＭユニット１３へ制御棒選択信号を伝送するためのディジタル信号出力部８に対して、炉心内の全制御棒データを順次選択するよう制御を行うものであり、これにより、出力領域モニタ試験装置１は、炉心内の全制御棒とＲＢＭユニットで選択されるＬＰＲＭ検出器信号とＲＢＭ値との対応を自動で試験することが可能となる。
【００２５】
ホストコンピュータ３の制御棒選択信号制御部１６は、対象とする原子炉の全制御棒配置を予め記憶し、ディジタル信号入出力装置７のディジタル信号信号出力部８を介して出力する制御棒選択信号を予め記憶した全制御棒で順次切り替える。そして、その都度、ＲＢＭユニット１３からの出力信号を読み込み照合することで、炉心内全制御棒に係わるＲＢＭユニット１３のＬＰＲＭ検出器信号選択動作の健全性を全て自動で確認する。
【００２６】
第２の実施の形態によれば、炉心内の全制御棒とＲＢＭユニットで選択されるＬＰＲＭ検出器信号とＲＢＭ値との対応を自動で試験することが可能となり、試験の効率化／省力化を図ることができる。
【００２７】
図３は本発明の第３の実施の形態に係わる出力領域モニタ試験装置の構成図である。この第３の実施の形態は、図１に示した第１の実施の形態に対し、ＬＰＲＭ信号制御部１４は、炉心内に配置される全ＬＰＲＭ検出器の模擬信号を重複がないよう各々ユニークなＬＰＲＭ検出器模擬信号として演算し信号発生出力部５を介してＬＰＲＭユニット１１及びＡＰＲＭユニット１２へ出力することに代えて、ＡＰＲＭユニット１２からＲＢＭユニット１３への伝送データを模擬信号として演算しディジタル信号出力部８を介してＲＢＭユニット１３へ出力するようにしたものである。図１と同一要素には、同一符号を付し重複する説明は省略する。
【００２８】
第１の実施の形態や第２の実施の形態で示した構成においては、炉心内に配置される約２００台のＬＰＲＭ検出器に対応したアナログ信号入出力装置６が必要となるため、第３の実施の形態では、ＬＰＲＭ検出器模擬信号としてＡＰＲＭユニット１２から出力されるディジタル信号とし、ディジタル信号出力部８からＲＢＭユニット１３へ出力するようにし、出力領域モニタ試験装置１を簡素化したものである。
【００２９】
このような構成においては、ＬＰＲＭユニット１１及びＡＰＲＭユニット１２の入力部からＲＢＭユニット１３までを通した確認はできなくなることから、ＬＰＲＭユニット１１からＡＰＲＭユニット１２のディジタル信号出力の確認は別途必要となる。
【００３０】
第３の実施の形態によれば、ＬＰＲＭ検出器模擬信号を出力するアナログ信号入出力装置４の信号発生出力部５が不要となり、同一の試験を実施する場合にＲＢＭユニット１３への入力をディジタル信号とすることで、出力領域モニタ試験装置１の小型化が可能となり、試験の省力化を図ることができる。
【図面の簡単な説明】
【００３１】
【図１】本発明に係わる第１の実施の形態を示す出力領域モニタ試験装置の構成図
【図２】本発明に係わる第２の実施の形態を示す出力領域モニタ試験装置の構成図
【図３】本発明に係わる第３の実施の形態を示す出力領域モニタ試験装置の構成図。
【図４】従来の出力領域モニタ試験装置の構成図。
【符号の説明】
【００３２】
１…出力領域モニタ試験装置、２…プリンタ、３…ホストコンピュータ、４…アナログ信号入出力装置、５…信号発生出力部、６…アナログ信号入力部、７…ディジタル信号入出力装置、８…ディジタル信号出力部、９…ディジタル信号入力部、１０…出力領域モニタ、１１…ＬＰＲＭユニット、１２…ＡＰＲＭユニット、１３…ＲＢＭユニット、１４…ＬＰＲＭ信号制御部、１５…出力信号判定部、１６…制御棒選択信号制御部
【図１】
2009115540.tif 000003
【図２】
2009115540.tif 000004
【図３】
2009115540.tif 000005
【図４】
2009115540.tif 000006